(57)【要約】      （修正有）【課題】ＬＥＤを使用した直管型照明灯において、従来の蛍光管と同様の広い範囲を照射するＬＥＤ照明管を提供する。        【解決手段】発光ダイオード２を直線状に連結したものを合成樹脂で一体に形成されてなる可撓性のライン発光体４ａを、直線棒体８を心材としてこれに巻き付けて発光体４が形成され、この発光体４を透明若しくは半透明の直管型カバー管９の内部空間部に内包させてなるＬＥＤ照明管１とするものである。【選択図】図１
0003167241.tif 000002
【実用新案登録請求の範囲】
【請求項１】
発光ダイオードを直線状に連結したものを合成樹脂で一体に形成されてなる可撓性のライン発光体を、直線棒体を心材としてこれに巻き付けて発光体が形成され、この発光体を透明若しくは半透明の直管型カバー管の内部空間部に内包させてなること、
を特徴とするＬＥＤ照明管。
【請求項２】
直線棒体の外周面には、ライン発光体を嵌合させる螺旋状の凹溝が形成されていること、
を特徴とする請求項１に記載のＬＥＤ照明管。
【請求項３】
ライン発光体の電源部は、直管型カバー管の外に配設されること、
を特徴とする請求項１または２に記載のＬＥＤ照明管。
【請求項４】
ライン発光体の発光ダイオードが、発光体の周囲の角度３６０゜に亘り螺旋状に展開されていること、
を特徴とする請求項１乃至３のいずれかに記載のＬＥＤ照明管。
【請求項５】
請求項１〜４に記載のＬＥＤ照明管を有して成ること、
を特徴とするＬＥＤ照明灯。
【考案の詳細な説明】
【技術分野】
【０００１】
本考案は、ＬＥＤ（発光ダイオード：Light  Emitting  Diode）を使用した直管型のＬＥＤ照明管及び照明灯に関するものである。
【背景技術】
【０００２】
従来の直管型蛍光灯に代わり、白色ＬＥＤ照明管は、実用化に伴いその超寿命とメンテナンスフリーを活かして、近年ますます家庭用・店舗用・街灯用・オフィス用にと利用されるようになってきている。その場合のＬＥＤの特性として指向性があることから、例えば、特許文献１に記載のように、照明範囲を横方向に広げようとするＬＥＤ照明構造や、又は、特許文献２に記載のように照射方向を望ましい方向に調整できるようにしたＬＥＤランプが知られている。
【先行技術文献】
【特許文献】
【０００３】
【特許文献１】特開２０１０−１７７１４１号公報
【特許文献２】特開２０１０−１５７４５３号公報
【考案の概要】
【考案が解決しようとする課題】
【０００４】
しかし、ＬＥＤ照明管に対する上記の、従来の蛍光管と同様の広い範囲を照射するようにする工夫は、基本的なＬＥＤ直管型照明装置において部品点数が増加してコストが嵩み、また、回転出来るように調整装置が必要になって構造が複雑化してその組立に工期が掛かりコストが嵩むものとなる、という課題がある。本考案に係るＬＥＤ照明管と照明灯は、このような課題を解決するために提案されたものである。
【課題を解決するための手段】
【０００５】
本考案に係るＬＥＤ照明管の上記課題を解決して目的を達成するための要旨は、発光ダイオードを直線状に連結したものを合成樹脂で一体に形成されてなる可撓性のライン発光体を、直線棒体を心材としてこれに巻き付けて発光体が形成され、この発光体を透明若しくは半透明の直管型カバー管の内部空間部に内包させてなることである。
【０００６】
また、前記直線棒体の外周面には、ライン発光体を嵌合させる螺旋状の凹溝が形成されていることを含むものである。前記ライン発光体の電源部は、直管型カバー管の外に配設されることを含むものである。更に、ライン発光体の発光ダイオードが、発光体の周囲の角度３６０゜に亘り螺旋状に展開されていることを含むものである。
本考案に係るＬＥＤ照明灯は、上記考案のＬＥＤ照明管を備えたものである。
【考案の効果】
【０００７】
本考案のＬＥＤ照明管によれば、発光体がその周囲の広い範囲で照射するようになり、指向性のあるＬＥＤを使用したものであっても、照明の行き届かないところがないものである。ライン発光体の発光ダイオードは、直線状の発光体となって形成された場合には、その発光体の周囲に、例えば、周囲の３〜４カ所に均等にして長手方向に配設されるようにしたり、２重〜３重の螺旋状に配設されるように、発光ダイオード間のピッチを変えて、対応させることができる。これにより、狭い範囲で照射するようなことが無くなり、周囲を広く照射することができる。
また、本考案に係るＬＥＤ照明灯によれば、照明範囲が広く、従来の蛍光管と同様の範囲を照射することが出来るので、交換できるだけでなく照明範囲も同じであって、高い互換性が得られるものである。
【図面の簡単な説明】
【０００８】
【図１】本考案に係るＬＥＤ照明管１の一部の斜視図である。
【図２】同本考案のＬＥＤ照明管１を構成するＬＥＤラインライトと心材との斜視図（Ａ），（Ｂ）である。
【図３】本考案に係る第２実施例のＬＥＤ照明管１ａの発光体の構造を示す斜視図（Ａ）と、ＬＥＤの螺旋状の列を２重若しくは３重にすることが出来ることを示す説明図（Ｂ）である。
【図４】本考案に係るＬＥＤ照明灯の断面図である。
【考案を実施するための形態】
【０００９】
本考案に係るＬＥＤ照明管は、直線状のＬＥＤラインライトを直線棒体に螺旋状に巻き付けて、照明範囲を広くした直管型の照明管としたものである。
【実施例１】
【００１０】
本考案に係るＬＥＤ照明管１は、図１及び図２（Ａ）に示すように、発光ダイオード２を直線状に連結したものを合成樹脂本体３で一体に形成されてなる可撓性のライン発光体４ａを形成する。
【００１１】
前記ライン発光体４ａは、図２（Ａ）に示すように、発光ダイオード２をプリント基板（フレキシブル基板）とともに、それらの一部を絶縁性合成樹脂本体（例えば、可撓性で形状を維持するエポキシ樹脂、ポリエチレン、ポリプロピレン等、他の公知の材料）３の中に埋設させて、一体にして形成されたものである。前記発光ダイオード２，２，・・は、電気的に直列に接続されている。なお、符号５はリード線、符号６は電源、符号７は接続用の端子を示している。照明灯本体と前記端子７とにおける電気的接続には、既存の蛍光灯と互換性を持たせてある。
【００１２】
前記直線棒体８は、心材となるものであり、図２（Ｂ）に示すように、絶縁性の硬質プラスチック製（例えば、ポリエチレン、ＡＢＳ、ポリ塩化ビニール等）である。なお、この直線棒体８は、中空でも中実であっても良い。
【００１３】
前記直線棒体８を心材としてこれに前記ライン発光体４ａを巻き付けて、図１に示す直管型用発光体４が形成され、この発光体４を透明若しくは半透明の直管型カバー管９の内部空間部に内包させてＬＥＤ照明管１となる。
【００１４】
前記ＬＥＤ照明管１においては、例えば、前記電源６は、直管型カバー管９の外に出して、図４に示すＬＥＤ照明灯１０の本体側に設けるようにしてもよい。その場合には、端子７は、直管型カバー管９のキャップ端面に設けられるようになる。これにより、ＬＥＤ照明管１の重量が軽量化され、運搬等の負荷が軽減される。なお、ＬＥＤ照明灯１０の本体側に電源６を設ける場合には、既存の蛍光管と単に交換することはできなくなる。
【実施例２】
【００１５】
ＬＥＤ照明管１ａに係る第２実施例は、図３（Ａ）に示すように、直線棒体８の外周面には、ライン発光体４ａを嵌合させる螺旋状の凹溝８ａが形成されているものである。前記ライン発光体４ａは、可能な限り厚み方向の厚さを薄くして、発光効率を良くするものである。このようにすれば、ライン発光体４ａを直線棒体８に巻き付ける作業が容易になり、且つ、精度良くきれいに仕上がる。
【実施例３】
【００１６】
本考案に係るＬＥＤ照明管において、ライン発光体４ａの発光ダイオード２が、発光体４の周囲の角度３６０゜に亘り螺旋状に展開される様にすることが、従来の蛍光管との互換性を保てるものであるので、図３（Ｂ）に示すように、直線棒体８に巻き付けるライン発光体４ａを、例えば、二重に巻き付けることで、各ライン発光体４ａ毎に、ＬＥＤ２及びプリント基板等を無理のないピッチで直列に配設して、発光体４を容易に形成することが出来る。
【００１７】
このようなＬＥＤ照明管１を、図４に示すように、天井取付のＬＥＤ照明灯１０に使用すれば、ＬＥＤ照明管１の照射光は、断面視でその周囲の全部、角度で３６０゜範囲に照射され、反射板１１にも反射して、ＬＥＤ照明灯１の周囲を広く照射するものである。
【産業上の利用可能性】
【００１８】
本考案に係るＬＥＤ照明管とＬＥＤ照明灯は、既存の直管型蛍光灯に替わって広く適用できるものである。
【符号の説明】
【００１９】
１          ＬＥＤ照明管、
２          発光ダイオード、
３          合成樹脂本体、
４          発光体、                  ４ａ        ライン発光体、
５          リード線、
６          電源、
７          端子、
８          直線棒体、                ８ａ        凹溝、
９          直管型カバー管、
１０        ＬＥＤ照明灯、
１１        反射板。
【図１】
0003167241.tif 000003
【図２】
0003167241.tif 000004
【図３】
0003167241.tif 000005
【図４】
0003167241.tif 000006